(57)【特許請求の範囲】
【請求項１】
便器本体の水封部の下流側に連なる便器排水路から空気を吸引する便器排水路の吸気装置において、
ハウジング内に設置時の上下方向で移動可能な第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備え、
該駆動装置は、設置時の上下方向に延びる筒状のケース本体と、該ケース本体内に該上下方向に移動可能に収納された移動体を有し、
該ケース本体は、下端を密閉する底壁を有し、
該ケース本体内には、該移動体と該底壁とに囲まれ、該移動体の移動によって容積が変化し、連通管によって前記第１室に連通されている気密室が形成され、
該移動体は、該ケース本体から外部に引き出され、該移動体を上方向に引き上げる引上げ具が連結されていることを特徴とする便器排水路の吸気装置。
【請求項２】
前記移動体は、該ケース本体の内周面に沿って上下に延びる筒部と、該筒部の一端から外方に延びて該ケース本体の内周面に固定される鍔部と、該筒部の他端から内方に延びる中央部とからなる第２隔膜と、
該中央部に取り付けられ、該中央部が水平状態を保ちながら上下方向に移動するように該第２隔膜を案内するガイドとを有している請求項１記載の便器排水路の吸気装置。
【請求項３】
前記駆動装置は、前記底壁に設けられた開口に接続され、前記移動体を上方向に移動させる移動装置を有し、
該移動装置は、上方向に突出し、該移動体を押し上げる棒状体と、該棒状体を昇降させるモーターとを内蔵する請求項１又は２記載の便器排水路の吸気装置。
【請求項４】
前記駆動装置は、前記ケース本体より上方に設けられ、前記引上げ具を上下方向に挿通する案内具を有する請求項１乃至３のいずれか１項記載の便器排水路の吸気装置。
【発明の詳細な説明】
【技術分野】
【０００１】
本発明は便器排水路の吸気装置に関する。
【背景技術】
【０００２】
特許文献１の図７に従来の便器排水路の吸気装置が開示されている。この吸気装置は吸引タンク及び水圧式駆動装置を備え、便器本体の水封部の下流側に連なる便器排水路から空気を吸引するものである。
【０００３】
吸引タンクは、ハウジング内に設置時の上下方向で移動可能に第１隔膜が設けられ、第１隔膜によって上側の第１室と下側の第２室とに区画されている。吸引タンクの第２室は便器排水路に連通されている。水圧式駆動装置は、水道水が給水されることにより上方向に移動する第２隔膜と、第２隔膜の上面に取り付けられ、先端が第１隔膜に接続された棒状部材とを有している。
【０００４】
この吸気装置は、水圧式駆動装置に水道水が給水されると、第２隔膜が上方向に移動し、棒状部材が第１隔膜を上方向に押し上げ、便器排水路の空気が吸引タンクの第２室に吸引される。このため、便器排水路が洗浄水で満水になり、サイホン作用が発生する。よって、少ない洗浄水でもサイホン作用を発生させることができ、便器本体外へ汚物を排出することができる。
【０００５】
【特許文献１】特開平５−３１１７１９号公報
【発明の開示】
【発明が解決しようとする課題】
【０００６】
しかし、上記従来の吸気装置では、水圧式駆動装置に水道水が給水されない等の異常が生じ、第２隔膜が上方向に移動されないと、第１隔膜が上方向に押し上げられず、サイホン作用を発生させることができない。この場合、便器洗浄が良好に行われないおそれがある。
【０００７】
また、便器本体が設置される地域、建物、階等の設置場所や、便器本体が使用される時間帯等の使用状況が相違すると、水道水の単位時間当たりの給水量等が変化してしまうため、第２隔膜の上方向への移動速度や移動量が変化してしまう。すると、棒状部材が第１隔膜を上方向に押し上げる速度等が変化し、第２室による便器排水路の空気の吸引状態がばらつき、便器洗浄が良好に行われないおそれがある。
【０００８】
つまり、第１隔膜が上方向に押し上げられる速度が速すぎると、便器本体に洗浄水が充分に供給されていない状態で第２室が便器排水路から空気を吸引することになり、便器排水路内に十分な洗浄水を流入させることができず、サイホン作用を発生させることができない。また、第１隔膜が上方向に押し上げられる速度が遅すぎたり、移動量が少なかったりすると、便器排水路からの第２室による空気の吸引力が弱くなり、便器排水路内に十分な洗浄水を流入させることができず、やはりサイホン作用を発生させることができない。このようにサイホン作用が発生しないと、汚物が便器本体外へ排出されず、便器洗浄が良好に行なわれないおそれがある。
【０００９】
本発明は、上記従来の実情に鑑みてなされたものであって、常にサイホン作用を発生させることができ、便器本体の設置場所や使用状況にかかわらず、便器洗浄を良好に行なうことができる便器排水路の吸気装置を提供することを解決すべき課題としている。
【課題を解決するための手段】
【００１０】
本発明の便器排水路の吸気装置は、便器本体の水封部の下流側に連なる便器排水路から空気を吸引する便器排水路の吸気装置において、
ハウジング内に設置時の上下方向で移動可能な第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備え、
該駆動装置は、設置時の上下方向に延びる筒状のケース本体と、該ケース本体内に該上下方向に移動可能に収納された移動体を有し、
該ケース本体は、下端を密閉する底壁を有し、
該ケース本体内には、該移動体と該底壁とに囲まれ、該移動体の移動によって容積が変化し、連通管によって前記第１室に連通されている気密室が形成され、
該移動体は、該ケース本体から外部に引き出され、該移動体を上方向に引き上げる引上げ具が連結されていることを特徴とする。
【００１１】
この便器排水路の吸気装置では、使用者が手動で引上げ具を引き上げることにより、移動体を上方向に移動させ、サイホン作用を発生させることができる。また、使用者が便鉢内の洗浄水量の増減やサイホン作用の発生等を確認しながら引上げ具を引き上げることにより移動体を上方向に移動させることができるため、サイホン作用を確実に発生させることができ、汚物を便器本体外へ排出することができる。
【００１２】
したがって、本発明の吸気装置は、常にサイホン作用を発生させることができ、便器本体の設置場所や使用状況にかかわらず、便器洗浄を良好に行なうことができる。
【００１３】
引上げ具は、玉鎖等の鎖、ワイヤ、有機繊維ロープ等、種々のものを採用することができる。
【００１４】
移動体は、ケース本体の内周面に沿って上下に延びる筒部と、筒部の一端から外方に延びてケース本体の内周面に固定される鍔部と、筒部の他端から内方に延びる中央部とからなる第２隔膜と、
中央部に取り付けられ、中央部が水平状態を保ちながら上下方向に移動するように第２隔膜を案内するガイドとを有し得る。
【００１５】
この場合、移動体がスムーズにケース本体内を移動できるため、移動体を上方向に移動させるために引上げ具を引き上げることが手動で容易に行うことができる。また、第２隔膜は、鍔部がケース本体の内周面に固定されており、移動体が移動する際に、ケース本体の内周面等に対して摺動するものではない。このため、第２隔膜は摩耗し難く、気密室の気密性を長期にわたって保つことができる。よって、この吸気装置は、優れた耐久性を呈することができる。また、駆動装置の部品交換等のメンテナンスの手間を少なくすることができる。
【００１６】
ガイドは、第２隔膜の中央部下面に取り付けられる上壁と、上壁の周縁から下方に延び、ケース本体の内周面に沿って下方に延びる側壁と、側壁の下端の外周縁から外方に延びるフランジとから形成されてもよい。
【００１７】
この場合、ガイドの側壁と、フランジの外周縁とがケース本体の内周面に沿って上下に移動するため、第２隔膜の中央部を水平状態に保ちながら移動体がスムーズにケース本体内を上下方向に移動する。また、第２隔膜は、鍔部がケース本体の内周面に固定され、移動体が上昇する際には、ガイドの側壁の外周面を被覆するように変形するため、ケース本体の内周面に対して摺動しない。
【００１８】
駆動装置は、底壁に設けられた開口に接続され、移動体を上方向に移動させる移動装置を有し、
移動装置は、上方向に突出し、移動体を押し上げる棒状体と、棒状体を昇降させるモーターとを内蔵し得る。
【００１９】
この場合、モーターを駆動して移動体を押し上げることができるため、常時はモーターを駆動するための駆動スイッチを使用者が操作するのみで便器洗浄を良好に行うことができる。また、停電等によりモーターを駆動させることができない場合には、使用者が手動で引上げ具を引き上げて移動体を上方向に移動させることにより、便器洗浄を良好に行うことができる。
【００２０】
駆動装置は、ケース本体より上方に設けられ、引上げ具を上下方向に挿通する案内具を有し得る。使用者が手動で引上げ具を引き上げる際、引上げ具は案内具を通って引き上げられる。このため、便器本体に組み込まれた洗浄水供給装置等の他の部材に引上げ具が干渉することを防止することができ、引上げ具を上方向に容易に引き上げることができる。よって、移動体を手動でスムーズに引き上げることができる。
【発明を実施するための最良の形態】
【００２１】
以下、本発明の便器排水路の吸気装置を洋風水洗式便器に具体化した実施例１〜３を図面を参照しつつ説明する。
【実施例１】
【００２２】
図１及び図２に示すように、実施例１の洋風水洗式便器は、便器本体１と、便器洗浄装置Ｓとを備えている。なお、便座及び便蓋の図示は省略する。
【００２３】
便器本体１は、便鉢２の上部内周にリム３を有している。また、便器本体１には便鉢２の下端から上方向に延びる上昇流路２Ａが形成され、便鉢２の下方には水封部４が形成されている。便器本体１の上昇流路２Ａは接続管と接続されており、接続管内は便器排水路５、滞留部６及び排水口７が形成されている。
【００２４】
便器洗浄装置Ｓは、洗浄水供給装置１０と便器排水路５の吸気装置２０とを備えている。
【００２５】
洗浄水供給装置１０は、便器本体１が据え付けられたトイレルームの床面又は壁面から引き出された水道管に取り付けられた止水栓Ｖ１に接続され、便器本体１のリム３に連通する導水管１１を有している。導水管１１には、上流側から順に止水弁及びストレーナを内蔵するストレーナ装置１２、定流量弁１３、開閉弁Ｖ２及びバキュームブレーカ１４が設けられている。開閉弁Ｖ２は、弁を開閉させる駆動軸に着脱自在に取り付けられた洗浄ハンドルＨを有している。
【００２６】
便器排水路５の吸気装置２０は、ハウジング３０Ｈ内に設置時の上下方向で移動可能な第１隔膜３１が設けられた吸引タンク３０と、第１隔膜３１を上方向に移動させる駆動装置４０とを備えている。吸引タンク３０及び駆動装置４０は、図示しないが、便器本体１の側壁に囲まれ、便鉢２の後方に形成された収納空間に配置される。
【００２７】
吸引タンク３０の内部は、第１隔膜３１によって上側の第１室３２と下側の第２室３３とに区画されている。第１室３２及び第２室３３は気密性を有している。第１室３２は、連通管５０を介して後述する駆動装置４０の気密室４７に連通されている。また、第２室３３は、吸引管６０を介して便器排水路５に連通されている。
【００２８】
駆動装置４０は、上下方向に延びる筒状のケース本体４１と、ケース本体４１内に上下方向に移動可能に収納された移動体４２と、下端が移動体４２に連結され、上端がケース本体４１の上端面から外部に引き出された引上げ具である鎖４９とを有している。鎖４９の上端は洗浄ハンドルＨに連結され、洗浄ハンドルＨは開閉弁Ｖ２の駆動軸に着脱自在に取付けられている。このように、鎖４９の上端が、便器洗浄装置Ｓの特定の位置に配置されるため、使用者が鎖４９の上端の位置を容易に把握することができる。また、鎖４９の上端がケース本体４１内に入り込んでしまうことを防止することができる。
【００２９】
ケース本体４１の下端は、底壁４１Ｂにより密閉されている。ケース本体４１内には、移動体４２と底壁４１Ｂとに囲まれ、移動体４２の移動によって容積が変化する気密室４７が形成されている。ケース本体４１の上端面には、空気が出入可能な開口４１Ａが形成されている。開口４１Ａには、ケース本体４１内にゴミ等が侵入しないようにフィルターが取り付けられている。
【００３０】
移動体４２は、可撓性を有する第２隔膜４３と、第２隔膜４３の中央部４３Ｃの下面に取り付けられた第１ガイド４４と、第２隔膜４３の中央部４３Ｃの上面に取り付けられた第２ガイド４５とから構成されている。第２隔膜４３は、ケース本体４１の内周面に沿って上下方向に延びる筒部４３Ａと、筒部４３Ａの一端から外方に延びてケース本体４１の内周面に挟持されて固定される鍔部４３Ｂと、筒部４３Ａの他端から内方に延びる中央部４３Ｃとから形成されている。
【００３１】
第１ガイド４４は、第２隔膜４３の中央部４３Ｃの下面に取り付けられる上壁４４Ａと、上壁４４Ａの周縁からケース本体４１の内周面に沿って下方に延びる側壁４４Ｂと、側壁４４Ｂの下端の外周縁から外方に延びるフランジ４４Ｃとから形成された下向きのカップ形状とされている。上壁４４Ａは、第２隔膜４３の中央部４３Ｃより一回り小さい相似形状とされている。この第１ガイド４４は、下降した状態では、ケース本体４１内の下部に位置する。
【００３２】
第２ガイド４５は、第２隔膜４３の中央部４３Ｃの上面に取り付けられる底壁４５Ａと、底壁４５Ａの周縁から上下方向に延び、ケース本体４１の内周面に沿った側壁４５Ｂとから形成されている。底壁４５Ａは、第１ガイド４４の上壁４４Ａより大きい相似形状とされている。
【００３３】
この移動体４２は、第１ガイド４４及び第２ガイド４５によりケース本体４１内をスムーズに上昇、下降することができる。つまり、移動体４２が上昇、下降する際には、第１ガイド４４の側壁４４Ｂ及びフランジ４４Ｃと、第２ガイド４５の側壁４５Ｂとにより、移動体４２がケース本体４１の内周面に沿って移動する。このため、第２隔膜４３の中央部４３Ｃが水平状態を保ちながらスムーズに上昇、下降するため、移動体４２を上方向に移動させるために鎖４９を引き上げることが手動で容易に行える。
【００３４】
図２に示すように、使用者が開閉弁Ｖ２の駆動軸から洗浄ハンドルＨを取り外し、鎖４９を手動により引き上げることにより、移動体４２が上昇する際、第２隔膜４３は、第１ガイド４４の側壁４４Ｂの外周面を被覆するように変形する。一方、引き上げた鎖４９を緩めると、移動体４２は自重により下降する。この際、図１に示すように、第２隔膜４３は、第２ガイド４５の側壁４５Ｂの下端周縁に押さえられながら変形する。
【００３５】
このように、移動体４２が上昇、下降する際、第２隔膜４３がケース本体４１の内周面に対して摺動しないため、第２隔膜４３は摩耗し難く、気密室４７の気密性を長期にわたって保つことができる。よって、この吸気装置２０は、優れた耐久性を呈することができる。また、第２隔膜４３の交換等の駆動装置４０のメンテナンスの手間を少なくすることができる。
【００３６】
ケース本体４１の側壁には連通管５０が接続され、気密室４７は連通管５０を介して吸引タンク３０の第１室３２に連通されている。連通管５０の中間部には、常時は大気に開放しており、駆動装置４０の移動体４２が移動する際、閉弁する開閉弁４８が設けられている。
【００３７】
駆動装置４０は吸引タンク３０から離して配置することができる。このため、駆動装置４０を便器本体１の便鉢２の後方に設けられた収納空間の空いたスペースに配置することができ、スペースを有効に利用することができる。また、駆動装置４０を吸引タンク３０の上方に配置しないことにより、ローシルエットの洋風水洗式便器を実現することができる等、洋風水洗式便器の設計の自由度が高まる。
【００３８】
以上の実施例１の洋風水洗式便器の便器洗浄は、以下のように行われる。
【００３９】
使用者が開閉弁Ｖ２の駆動軸に取り付けられている洗浄ハンドルＨを手動で操作して開閉弁Ｖ２を開弁させる。これにより導水管１１から洗浄水がリム３に供給され、便鉢２の内面に沿って旋回しながら流れ落ち、便鉢２内に旋回流が形成される。この旋回流により、汚物が便鉢２の中央側に集められるとともに、トイレットペーパーがほぐれて洗浄水となじみ、水中に分散するようになるので、後にサイホン作用が発生すると、汚物及びトイレットペーパーがスムーズに便器本体１外へ排出される。
【００４０】
使用者は、洗浄水が便鉢２に供給され、所定時間以上経過し、便鉢２内の水位が充分に高くなるのを確認すると、開閉弁Ｖ２の駆動軸から洗浄ハンドルＨを取り外し、鎖４９を手動で一気に引き上げる。これにより、図２に示すように、移動体４２が所定の高さまで上昇し、気密室４７の容積は拡大する。この際、連通管５０に設けられた開閉弁４８は閉弁しており、連通管５０を通じて吸引タンク３０の第１室３２内の空気が気密室４７側に移動する。
【００４１】
第１室３２内の空気が気密室４７側に移動することにより、第１隔膜３１が上方向に上昇する。これにより、便器排水路５内から空気が第２室３３内に吸引される。この時には、滞留部６内に上昇流路２Ａから溢れた洗浄水が流入し、便器排水路５内と排水口７側との間は完全に封鎖されているため、便器排水路５内から空気が吸引されると、水封部４側から便器排水路５内へ洗浄水が勢いよく流入し、強力なサイホン作用が発生する。このため、汚物が便器本体１外へ確実に排出される。
【００４２】
使用者は、サイホン作用が発生し、鎖４９を引き上げた状態を所定時間保持した後、便鉢２内の水位が低下するのを確認し、洗浄ハンドルＨを開閉弁Ｖ２の駆動軸に取り付け、引き上げた鎖４９を緩めると、移動体４２は自重により下降する。これにより、気密室４７内の空気が連通管５０を通じて吸引タンク３０の第１室３２側に移動するため、第１隔膜３１が下降する。この後、連通管５０に設けられた開閉弁４８は大気に解放され、気密室４７内及び第１室３２内は大気圧とされるため、移動体４２及び第１隔膜３１が下降途中で止まることなく、最下点まで確実に下降する。
【００４３】
第１隔膜３１が下降すると、第２室３３から便器排水路５内に空気が排出され、便器排水路５内の洗浄水が水封部４側と滞留部６側とに押し込まれる。このため、便器排水路５内の洗浄水の流れが分断され、サイホン作用が終了する。その後、便鉢２内の水封部４に所定の水位を有する封水が形成されるように洗浄水供給装置１０から洗浄水が供給され、使用者は、洗浄ハンドルＨを手動で操作して開閉弁Ｖ２を閉弁させ、便器洗浄を終了する。
【００４４】
このように、実施例１の吸気装置２０では、便器洗浄を行う際、使用者が手動で鎖４９を引き上げることにより、確実に移動体４２を上方向に移動させることができる。また、使用者が便鉢２内の洗浄水量の増減やサイホン作用の発生等を確認しながら鎖４９を引き上げて移動体４２を上方向に移動させることができるため、サイホン作用を確実に発生させることができ、汚物を便器本体１外へ排出することができる。
【００４５】
したがって、実施例１の吸気装置２０は、常にサイホン作用を発生させることができ、便器本体１の設置場所や使用状況にかかわらず、便器洗浄を良好に行うことができる。
【実施例２】
【００４６】
実施例２の洋風水洗式便器は、図３〜図５に示すように、実施例１のケース本体４１の底壁４１Ｂに開口を設け、この開口に移動体４２を上方向に移動させる移動装置４６が接続された駆動装置４００を備えている。また、洗浄水供給装置１０の開閉弁Ｖ２は、洗浄ハンドルＨを手動で操作して開閉可能であると共に、図示しない電磁式アクチュエータが組み込まれ、電磁駆動により開閉可能とされている。それ以外の構成は実施例１と同様であるので、同一の構成については、同一の符号を付し、詳細な説明は省略する。
【００４７】
実施例２の駆動装置４００は、図３に示すように、ケース本体４１の底壁４１Ｂに設けられた開口に、移動装置４６の上部が下方から挿入され、移動装置４６の上部がケース本体４１内に収納されている。ケース本体４１と移動装置４６とはパッキンＰを介在させて気密性を保つように接続されている。
【００４８】
移動装置４６は、モーター４６Ｍと、モーター４６Ｍにより回転するネジ軸４６Ａと、ネジ軸４６Ａに外嵌したナット部を下端に有し、上端が移動装置４６の上方から突出して円盤状の押上板４６Ｃが固定された棒状体４６Ｂとを有している。押上板４６Ｃの上面は移動体４２に固定されていない。このため、移動体４２は、押上板４６Ｃが上昇すると上方向へ押上げられ、押上板４６Ｃが下降すると自重により下降する。
【００４９】
駆動装置４００も吸引タンク３０から離して配置することができる。このため、駆動装置４００を便器本体１の便鉢２の後方に設けられた収納空間の空いたスペースに配置することができ、スペースを有効に利用することができる。また、駆動装置４００を吸引タンク３０の上方に配置しないことにより、ローシルエットの洋風水洗式便器を実現することができる等、洋風水洗式便器の設計の自由度が高まる。
【００５０】
以上の実施例２の洋風水洗式便器の便器洗浄は、以下のように行われる。
【００５１】
使用者が図示しない洋風水洗式便器の便器洗浄スイッチを操作すると、先ず、洗浄水供給装置１０の開閉弁Ｖ２が電磁駆動により開弁する。これにより、実施例１と同様、導水管１１から洗浄水がリム３に供給され、便鉢２内に旋回流が形成される。洗浄水が便鉢２に供給され、便鉢２内の水位が十分に高くなると、駆動装置４００が駆動される。つまり、図４に示すように、移動装置４６のモーター４６Ｍが駆動され、棒状体４６Ｂの押上板４６Ｃが所定の速度で所定の高さまで上昇し、移動体４２を所定の高さまで押し上げる。これにより、気密室４７の容積は所定の速度で所定の量に拡大する。これにより、実施例１と同様、便器排水路５内から空気が吸引タンク３０の第２室３３に吸引され、水封部４側から便器排水路５内へ洗浄水が勢いよく流入するため、強力なサイホン作用が発生し、汚物が便器本体１外へ確実に排出される。
【００５２】
サイホン作用が発生し、所定時間が経過した後、モーター４６Ｍを逆回転させ、棒状体４６Ｂの押上板４６Ｃを下降させると、移動体４２は自重により下降する。これにより、気密室４７内の空気が連通管５０を通じて吸引タンク３０の第１室３２側に移動するため、第１隔膜３１が下降する。この後、連通管５０に設けられた開閉弁４８は大気に開放され、気密室４７内及び第１室３２内は大気圧とされるため、移動体４２及び第１隔膜３１が下降途中で止まることなく、最下点まで確実に下降する。これにより、第１実施例と同様、サイホン作用が終了する。その後、便鉢２内の水封部４に所定の水位を有する封水が形成されるように洗浄水供給装置１０から洗浄水が供給され、便器洗浄が終了する。
【００５３】
このように、実施例２の便器洗浄装置Ｓ１では、常時は、使用者が便器洗浄スイッチを操作するのみで便器洗浄を良好に行うことができる。また、実施例２の吸気装置２００では、便器洗浄を行う際、モーター４６Ｍによって所定のタイミングの下、所定の速度かつ所定の移動量だけ、押上板４６Ｃを上昇させることにより、第１隔膜３１を所定のタイミングの下、所定の速度かつ所定の移動量だけ上方向に移動させることができる。このため、便器排水路５からの空気の吸引状態がばらつかず、水封部４側から便器排水路５内へ洗浄水を勢いよく流入させることができるため、強力なサイホン作用が確実に発生して汚物を便器本体１外へ確実に排出することができる。また、吸気装置２００によって、便器排水路５から空気を吸引することにより、少ない洗浄水でもサイホン作用を発生させ、汚物を便器本体１外へ排出することができるため、洗浄水の節水を図ることができる。
【００５４】
また、停電等により、モーター４６Ｍを駆動させることができない場合には、図５に示すように、使用者が手動で便器洗浄を行うことができる。つまり、使用者は、先ず、開閉弁Ｖ２の駆動軸に取り付けられている洗浄ハンドルＨを手動で操作して開閉弁Ｖ２を開弁させる。これにより、実施例１と同様、洗浄水が便鉢２に供給され、所定時間以上経過した後に開閉弁Ｖ２の駆動軸から洗浄ハンドルＨを取り外し、鎖４９を手動で一気に引き上げる。これにより、便器排水路５内から空気が吸引され、強力なサイホン作用が発生し、汚物を便器本体１外へ確実に排出することができる。
【００５５】
使用者は、サイホン作用が発生し、鎖４９を引き上げた状態を所定時間保持した後、洗浄ハンドルＨを開閉弁Ｖ２の駆動軸に取り付け、引き上げた鎖４９を緩める。これにより、実施例１と同様、便器排水路５内に空気が排出され、サイホン作用が終了する。その後、洗浄水が便鉢２内に供給され、水封部４に所定の水位を有する封水が形成される。使用者は、洗浄ハンドルＨを手動で操作して開閉弁Ｖ２を閉弁させ、便器洗浄を終了する。このように、停電等により、モーター４６Ｍを駆動させることができない場合にも、便器洗浄を良好に行うことができる。
【００５６】
したがって、実施例２の吸気装置２００も、常にサイホン作用を発生させることができ、便器本体１の設置場所や使用状況にかかわらず、便器洗浄を良好に行うことができる。
【実施例３】
【００５７】
実施例３の洋風水洗式便器は、図６及び図７に示すように、駆動装置４００のケース本体４１より上方に設けられ、引上げ具である玉鎖４９Ｔを上下方向に挿通する案内具４９Ａを有している。案内具４９Ａは、上端から下端にわたって形成されたスリット４９Ｓを側面に有し、上下方向に延びる円筒状の部材により形成されている。この案内具４９Ａは、洗浄水供給装置１０のストレーナ装置１２、定流量弁１３、開閉弁Ｖ２及びバキュームブレーカ１４からなるバルブユニットの外面に生じる結露水及びバキュームブレーカ１４からの溢れ水を受ける水受け具１８に一体に形成されている。この水受け具１８は、便器本体１の後部上面に固定されたフレーム１７に固定され、便器本体１の後部上面より上方に配置されている。このため、案内具４９Ａに挿通された玉鎖４９Ｔは、洗浄水供給装置１０等に干渉することなく、上方向に容易に引き上げることができる。よって、駆動装置４００内の移動体を手動でスムーズに引き上げることができる。
【００５８】
玉鎖４９Ｔの玉と玉とを連結する針金部分は、案内具４９Ａのスリット４９Ｓを挿通することができるため、この針金部分をスリット４９Ｓの下端から挿通させながら玉鎖４９Ｔを上方に引き上げることにより、案内具４９Ａの内部に玉鎖４９Ｔを挿通させることができる。玉鎖４９Ｔの玉はスリット４９Ｓの幅より大きく、玉鎖４９Ｔの上端には、洗浄ハンドルＨが連結されているため、玉鎖４９Ｔは案内具４９Ａから外れることがない。このため、洗浄ハンドルＨから手を離しても玉鎖４９Ｔは案内具４９Ａの上端に引っ掛かる。よって、洗浄ハンドルＨ及び玉鎖４９Ｔが、便器本体１の便鉢２の後方に設けられ、駆動装置４００等が収納されている収納空間内に落下してしまうことを防止することができる。
【００５９】
図６に示すように、実施例３の便器本体１の上昇流路の下流端には、便器排水路５を内部に形成する下流排水管８が接続されている。下流排水管８の下流端には、滞留部６を内部に形成し、排水口７を有する排水接続具９が接続されている。排水口７は、図示しない便器本体１が据え付けられたトイレルームの床面に引き出された排水管に連通されている。
【００６０】
図６及び図７に示すように、実施例３の洗浄水供給装置１０は、止水栓Ｖ１に接続され、便器本体１のリムに連通する導水管１１を有している。導水管１１は、ストレーナを内蔵するストレーナ装置１２、定流量弁１３、開閉弁Ｖ２及びバキュームブレーカ１４からなるバルブユニットと、バルブユニットの上流側及び下流側に接続された耐圧性を有するフレキシブルホースとから構成されている。バルブユニットの上流側に接続されたフレキシブルホースは便器本体１の後部から引き出され、止水栓Ｖ１に接続されている。一方、バルブユニットの下流側に接続されたフレキシブルホースは、先端にノズル１１Ｎが取り付けられ、便器本体１のリムに連通されている。
【００６１】
ストレーナ装置１２は、上端の蓋部材１２Ｈを回転し、取り外すと、上端が開放され、ストレーナを取り外すことができる。開閉弁Ｖ２は、パイロット弁を開閉することにより主弁であるダイヤフラム弁が開閉するものである。この開閉弁Ｖ２は、パイロット弁が２つ設けられており、一方のパイロット弁は、電磁アクチュエータ１５により開閉駆動され、他方のパイロット弁は、駆動軸１６を手動で操作することにより開閉駆動される。洗浄ハンドルＨは、この駆動軸１６の先端部に着脱自在に取り付けられている。
【００６２】
実施例３の吸気装置は、実施例２と同様の構成を有する吸引タンク３０及び駆動装置４００を備えている。図６に示すように、吸引タンク３０及び駆動装置４００は、便器本体１の側壁１Ａに囲まれ、便鉢２の後方に形成された収納空間に配置されている。
【００６３】
実施例３の洋風水洗式便器は、図８に示すように、洋風便器本体１の後部上面に取り付けられ、便蓋７１及び図示しない便座を回動可能に支持する収納ケース７０と、収納ケース７０の上面に着脱自在に取り付けられ、収納ケース７０の上面を覆うカバー７２とを有している。収納ケース７０内には、便器洗浄装置Ｓ２の洗浄水供給装置１０が収納されている。また、収納ケース７０は、吸引タンク３０及び駆動装置４００が収納されている収納空間の上部開口を塞ぐように取り付けられている。また、収納ケース７０の上面には、洗浄水供給装置１０の一部が露出する開口７３が設けられている。この開口７３からストレーナ装置１２の蓋部材１２Ｈを回転させて、ストレーナを取り外すことができる。また、この開口７３から開閉弁Ｖ２の他方のパイロット弁の駆動軸１６に取り付けられた洗浄ハンドルＨを手動で操作することができる。また、図９に示すように、駆動軸１６から取り外した洗浄ハンドルＨを手動で引き上げることができる。実施例１及び実施例２と同一の構成については、同一の符号を付し、詳細な説明は省略する。
【００６４】
以上の実施例３の洋風水洗式便器の便器洗浄は、以下のように行われる。
【００６５】
常時は、収納ケース７０の上面には、カバー７２が装着されている。使用者が図示しない洋風水洗式便器の便器洗浄スイッチを操作すると、先ず、洗浄水供給装置１０の開閉弁Ｖ２の一方のパイロット弁が電磁アクチュエータ１５により開弁し、主弁であるダイヤフラム弁が開弁する。これより後の便器洗浄は、実施例２と同様であり、強力なサイホン作用が発生し、汚物が便器本体１外へ確実に排出された後、サイホン作用が終了し、便鉢２内の水封部４に所定の水位を有する封水が形成されて便器洗浄が終了する。
【００６６】
このように、実施例３の便器洗浄装置Ｓ２でも、常時は、使用者が便器洗浄スイッチを操作するのみで便器洗浄を良好に行うことができる。また、便器排水路５からの空気の吸引状態がばらつかず、水封部４側から便器排水路５内へ洗浄水を勢いよく流入させることができるため、強力なサイホン作用が確実に発生して汚物を便器本体１外へ確実に排出することができる。また、少ない洗浄水でもサイホン作用を発生させ、汚物を便器本体１外へ排出することができるため、洗浄水の節水を図ることができる。
【００６７】
また、停電等により、駆動装置４００のモーターを駆動させることができない場合には、図８及び図９に示すように、使用者は、先ず、収納ケース７０の上面からカバー７２を取り外し、収納ケース７０の上面に設けられた開口７３から開閉弁Ｖ２の他方のパイロット弁の駆動軸１６に取り付けられた洗浄ハンドルＨを手動で操作して開弁し、主弁のダイヤフラム弁を開弁させる。これにより、実施例１及び実施例２と同様、洗浄水が便鉢２に供給され、所定時間以上経過した後にパイロット弁の駆動軸１６から洗浄ハンドルＨを取り外し、玉鎖４９Ｔを手動で一気に引き上げる。この際、玉鎖４９Ｔは案内具４９Ａに挿通されているため、洗浄水供給装置１０等に干渉することなく、上方向に容易に引き上げることができる。このため、駆動装置４００内の移動体を手動でスムーズに引き上げることができる。これにより、便器排水路５内から空気が吸引され、強力なサイホン作用が発生し、汚物を便器本体１外へ確実に排出することができる。
【００６８】
使用者は、サイホン作用が発生し、玉鎖４９Ｔを引き上げた状態を所定時間保持した後、洗浄ハンドルＨをパイロット弁の駆動軸１６に取り付け、引き上げた玉鎖４９Ｔを緩める。これにより、実施例１及び実施例２と同様、便器排水路５内に空気が排出され、サイホン作用が終了する。その後、洗浄ハンドルＨを手動で操作して、主弁のダイヤフラム弁を閉弁させ、便器洗浄を終了する。便鉢２内にはサイホン作用が終了された後、洗浄水が供給され、水封部４に所定の水位を有する封水が形成される。このように、停電等により、駆動装置４００のモーターを駆動させることができない場合にも、便器洗浄を良好に行うことができる。
【００６９】
したがって、実施例３の吸気装置２００も、常にサイホン作用を発生させることができ、便器本体１の設置場所や使用状況にかかわらず、便器洗浄を良好に行うことができる。
【００７０】
以上において、本発明を実施例１〜３に即して説明したが、本発明は上記実施例に制限されるものではなく、その趣旨に逸脱しない範囲で適宜変更して適用できることはいうまでもない。
【００７１】
例えば、実施例２又は実施例３において、モーター４６Ｍを制御して、第１隔膜３１の上昇速度を変化させるようにしてもよい。より具体的には、吸気装置２０が便器排水路５からの空気の吸引を開始してから特定時間が経過するまでは第１隔膜の上昇速度が速くなるようにモーター４６Ｍを制御し、吸気装置２０の便器排水路５からの空気の吸引力を強くする。その後、第１隔膜３１の上昇速度が遅くなるようにモーター４６Ｍを制御し、吸気装置２０の便器排水路５からの空気の吸引力を弱くする。このようにすると、吸気装置２０が便器排水路５からの空気の吸引を開始してから特定時間を経過するまでの間にサイホン作用を確実に発生させて重い汚物を便器本体１外へ排出し、その後はサイホン作用を継続させて軽い汚物を便器本体１外へ排出することができる。
【産業上の利用可能性】
【００７２】
本発明は洋風水洗式便器に利用可能である。
【図面の簡単な説明】
【００７３】
【図１】実施例１の便器排水路の吸気装置を備えた洋風水洗式便器の模式図である。
【図２】実施例１の便器排水路の吸気装置を備えた洋風水洗式便器の便器洗浄状態を示す模式図である。
【図３】実施例２の便器排水路の吸気装置を備えた洋風水洗式便器の模式図である。
【図４】実施例２の便器排水路の吸気装置を備えた洋風水洗式便器の便器洗浄状態を示す模式図である。
【図５】実施例２の便器排水路の吸気装置を備えた洋風水洗式便器の停電時の便器洗浄状態を示す模式図である。
【図６】実施例３の便器排水路の吸気装置を備えた洋風水洗式便器の斜視図である。
【図７】実施例３の便器排水路の吸気装置を備えた洋風水洗式便器の一部拡大図である。
【図８】実施例３の便器排水路の吸気装置を備えた洋風水洗式便器の外観図である。
【図９】実施例３の便器排水路の吸気装置を備えた洋風水洗式便器の一部拡大外観図である。
【符号の説明】
【００７４】
１…便器本体
４…水封部
５…便器排水路
２０、２００…吸気装置
３０…吸引タンク
３０Ｈ…ハウジング
３１…第１隔膜
３２…第１室
３３…第２室
４０、４００…駆動装置
４１…ケース本体
４１Ｂ…底壁
４２…移動体
４７…気密室
４９…鎖（引上げ具）
５０…連通管
【図１】
0005106176.tif 000002
【図２】
0005106176.tif 000003
【図３】
0005106176.tif 000004
【図４】
0005106176.tif 000005
【図５】
0005106176.tif 000006
【図６】
0005106176.tif 000007
【図７】
0005106176.tif 000008
【図８】
0005106176.tif 000009
【図９】
0005106176.tif 000010